(57)【要約】      （修正有）【課題】構造を簡単にすると共にロードセルに対する押圧力を小さくでき、押圧力の操作性を向上できる磁石の吸着力測定装置を提供する。【解決手段】磁石を組み込んだマグネットユニットＡと、マグネットユニットＡに連結したロードセルＢと、読取装置と、ロードセルＢを構築物の着磁性材料からなる外壁側に押圧する押圧手段Ｆとを備えた磁石の吸着力測定装置において、押圧手段ＦをロードセルＢの本体５に取付けたロッド２と、ロッド２の端部にスライド自在に圧接してロッドを軸方向に押圧させる楔１と、楔１に回転自在に嵌合した駆動ボルト１１とで構成させ、マグネットユニットＡを外壁外面Ｅに吸着させた状態でロードセルＢを楔１とロッド２とで外壁外面Ｅに押圧させ、外壁外面Ｅからの反力をロードセルＢで検出し、検出した反力をマグネットユニットＡを外壁外面Ｅから離す方向の荷重として電気信号に変換して読取装置で読みとることを特徴とする。【選択図】図１
2019152619.tif 000002
【特許請求の範囲】
【請求項１】
磁石を組み込んだマグネットユニット（Ａ）と、上記マグネットユニット（Ａ）に連結したロードセル（Ｂ）と、上記ロードセル（Ｂ）にケーブル（Ｄ）を介して接続した読取装置（Ｃ）と、上記ロードセル（Ｂ）を構築物の着磁性材料からなる外壁側に押圧する押圧手段（Ｆ）とを備えた磁石の吸着力測定装置において、
上記押圧手段（Ｆ）を上記ロードセル（Ｂ）の本体（５）に取付けたロッド（２）と、上記ロッド（２）の端部にスライド自在に圧接して当該ロッド（２）を軸方向に押圧させる楔（１）と、上記楔（１）に回転自在に嵌合した駆動ボルト（１１）とで構成させ、上記マグネットユニット（Ａ）を上記外壁外面（Ｅ）に吸着させた状態で上記ロードセル（Ｂ）を上記楔（１）と上記ロッド（２）とで上記外壁外面（Ｅ）に押圧させ、その時の上記外壁外面（Ｅ）からの反力を上記ロードセル（Ｂ）で検出し、検出した反力を上記マグネットユニット（Ａ）を上記外壁外面（Ｅ）から離す方向の荷重として電気信号に変換して上記読取装置（Ｃ）で読みとることを特徴とする磁石の吸着力測定装置。
【請求項２】
上記ロードセル（Ｂ）が本体（５）と、上記本体（５）の先端側と後端側にそれぞれ設けた腕（６）、（７）とからなり、上記先端側腕（６）に上記外壁外面（Ｅ）に対向させるプッシュロッド（３）を取付け、上記ロッド（２）を上記後端側腕（７）に上記楔（１）に対向して取付けている請求項１に記載の磁石の吸着力測定装置。
【請求項３】
上記ロードセル（Ｂ）と上記押圧手段（Ｆ）とが同じハウジング（４）内に収容され、上記マグネットユニット（Ａ）がケース（１０）と上記ケース（１０）内に組み込んだ一つ又は複数の磁石とからなり、上記ハウジング（４）をボルト（８）、（９）を介して上記ケース（１０）の端部に着脱自在に取付けている請求項１又は２のいずれか一項に記載の磁石の吸着力測定装置。
【請求項４】
上記ハウジング（４）の内周に平滑面を備えた樹脂製の第１のガイド（１２）を設け、上記ロッド（２）の先端にテーパ面（１３ａ）を形成した樹脂製の第２のガイド（１３）を取付け、上記楔（Ｆ）の垂直面（Ｆ３）を上記第１のガイド（１２）にスライド自在に当接させ、上記楔（Ｆ）の傾斜面面（Ｆ２）を上記第２のガイド（１３）のテーパ面（１３ａ）にスライド自在に当接させている請求項３に記載の磁石の吸着力測定装置。
【請求項５】
上記駆動ボルト（１１）が上記ハウジング（４）を回転自在に貫通する軸部（１１ａ）と、上記楔（１）の本体（Ｆ１）内に回転自在に嵌合する先端頭部（１１ｂ）とからなり、上記軸部（１１ａ）の後部外端にハンドル（１４）を取り付け、上記頭部（１１ｂ）の先端側と基端側とにそれぞれスライドメタル（１５）、（１６）を介在させている請求項１、２、３又は４のいずれか一項に記載の磁石の吸着力測定装置。
【発明の詳細な説明】
【技術分野】
【０００１】
本発明は磁石の吸着力測定装置に関し、特に構築物の着磁性材料からなる鋼板、例えば、石油タンクの壁面、橋梁の橋桁外面、法面補強用の鋼板の外面等に吸着させたマグネットユニットの吸着力を測定するのに適する磁石の吸着力測定装置に関するものである。
【背景技術】
【０００２】
一般に、石油タンクの外周壁面、橋梁のＨ鋼からなる橋桁の外面、法面補強用の鋼板の外面、その他の構築物の着磁性材料からなる鋼板の外面を補修、或いは塗装する等のメンテナンスを行う場合、これらの構築物の前側に枠組み足場や単管足場を立掛け、この足場上でメンテナンス作業を行っている。
【０００３】
この場合、足場の支柱に水平パイプやワイヤを介して磁石を組み込んだマグネットユニットを取付け、このマグネットユニットを構築物の外面に吸着させて足場を支えてその転倒、揺れ等の発生を防止している。
【０００４】
しかしながら、例えば、石油タンク等の外壁壁面は長期間の使用中に錆が発生し、傷による凹凸が発生し、或いは汚れや塗装による被膜があるのでメンテナンスの対象となる石油タンクの外壁壁面の状態は均一ではなく、この壁面と磁石との間にエアギャップが発生するので、同じマグネットユニットを使用しても壁面の状態による磁場によって磁石の吸着力が異なる。
【０００５】
又、仮に構築物の外壁壁面に錆等が発生していなくても鋼板の厚みによって磁石の吸着力が異なる。
【０００６】
従って、例えば、石油タンクの前側に立掛けた足場をマグネットユニットで支える場合、予めその石油タンクの壁面の状態や壁の厚みに対応する磁石の吸着力を測定しておいて、足場からの引っ張り荷重に対してその吸着力がどの程度の荷重に耐えられるかを調べ、足場の安全性を確保しておく必要がある。
【０００７】
そこで、この種の磁石の吸着力測定装置として、例えば、特許文献１に開示されているように壁構造物に取付ける携帯式の磁石の吸引力測定装置が開発されている。
【０００８】
この磁石の吸引力測定装置は、壁構造物との間に磁場を発生して壁構造物に吸着するマグネットユニットと、マグネットユニットに連結していて壁構造物との間に試験荷重を発生させる油圧シリンダと、油圧シリンダに配管を介して接続した油圧計としての油圧ポンプとからなるものである。
【０００９】
この磁石の吸引力測定装置によれば油圧ポンプから油圧シリンダに圧油を供給して壁構造物の外面を押圧し、その時の反力でマグネットユニットが壁構造物から離れた時の油圧をマグネットユニットを引き離す荷重として油圧ポンプで計測して各壁構造物の外面に対応する磁石の吸引力をその都度測定するものである。
【００１０】
しかしながら、この磁石の吸引力測定装置は油圧シリンダと、配管と、油圧ポンプとを有しているので構造が複雑であり、製造コストが嵩み、重量も嵩むので持ち運びも不便である。
【００１１】
そこで、近年、油圧シリンダに代えてロードセルを使用し、油圧ポンプに代えてロードセルを壁構造物に押圧させるハンドル付きのボルトを使用した磁石の吸着力測定装置が開発されている。
【００１２】
この磁石の吸着力測定装置は、ボルトがロードセルと直列に配置され、ハンドルを介して手動でボルトを回動させながら軸方向に推進させてロードセルを壁構造物に押圧させ、その時の壁構造物からの反力をロードセルで検出し、検出した荷重を電気信号に変換して読取装置で読みとって磁石の吸着力を測定するものである。
【００１３】
この磁石の吸着力測定装置は構造がコンパクトで、搬送、格納が容易であり、製造コストも安価にできる。
【先行技術文献】
【特許文献】
【００１４】
【特許文献１】ヨーロッパ特許公開２７８３７３０Ａ２号公報
【発明の概要】
【発明が解決しようとする課題】
【００１５】
しかしながら、上記の磁石の吸着力測定装置は手動でハンドルを回動されながら軸方向に推進するボルトでロードセルを直接押圧させて壁構造物からの反力を発生させるため、磁石が壁構造物の外面から離れるまでの反力を発生させる押圧力を付与するには相当大きな手動によるハンドルの回転操作力が必要であり、困難であるから操作性に劣る。
【００１６】
そこで、本発明は構造を簡単にすると共にロードセルに対する押圧力をボルトで直接押圧する場合に比べて小さくでき、押圧力の操作性を向上できる磁石の吸着力測定装置を提供することである。
【課題を解決するための手段】
【００１７】
上記の目的を達成するため、本発明の手段は、磁石を組み込んだマグネットユニットと、上記マグネットユニットに連結したロードセルと、上記ロードセルにケーブルを介して接続した読取装置と、上記ロードセルを構築物の着磁性材料からなる外壁側に押圧する押圧手段とを備えた磁石の吸着力測定装置において、
上記押圧手段を上記ロードセルの本体に取付けたロッドと、上記ロッドの端部にスライド自在に圧接して当該ロッドを軸方向に押圧させる楔と、上記楔に回転自在に嵌合した駆動ボルトとで構成させ、上記マグネットユニットを上記外壁外面に吸着させた状態で上記ロードセルを上記楔と上記ロッドとで上記外壁外面に押圧させ、その時の上記外壁外面からの反力を上記ロードセルで検出し、検出した反力を上記マグネットユニットを上記外壁外面から離す方向の荷重として電気信号に変換して上記読取装置で読みとることを特徴とする。
【発明の効果】
【００１８】
本発明によれば、ロードセルを押圧する押圧手段として楔を利用しているので、ボルトで軸方向に沿ってロードセルを直接押圧する場合に比べて押圧操作力が小さくて済み、操作性を向上させ、作業のスピードアップを図れる。
【図面の簡単な説明】
【００１９】
【図１】（Ａ）は石油タンクの外壁に吸着せた状態の磁石の吸着力測定装置の平面図、（Ｂ）は同側面図である。
【図２】（Ａ）は石油タンクの外壁からの反力を受けている磁石の吸着力測定装置の平面図、（Ｂ）は同側面図である
【図３】ハウジング内にロードセルと押圧手段とを組み込んだ状態の分解斜視図である。
【図４】（Ａ）は楔に駆動ロッドを連結した状態の平面図、（Ｂ）は同側面図である。
【図５】（Ａ）は楔の平面図、（Ｂ）は同側面図である。
【図６】（Ａ）は駆動ロッドの右側面図、（Ｂ）は同平面図、（Ｃ）は同左側面図である。
【図７】（Ａ）はスライドメタルの右側面図、（Ｂ）は同平面図、（Ｃ）は同左側面図である。
【図８】（Ａ）はハンドルの左側面図、（Ｂ）は同平面図である。
【図９】磁石の吸着力測定装置の分解斜視図である。
【図１０】枠組足場を石油タンクの壁面に磁石の吸着力測定装置を介して取付けている状態の斜視図である。
【図１１】法面工事用の単管足場を法面補強用の鋼板に磁石の吸着力測定装置を介して取付けている状態の斜視図である。
【発明を実施するための形態】
【００２０】
本発明に係る磁石の吸着力測定装置は構築物の着磁性材料からなる鋼板の外面、例えば、石油タンクの外壁壁面、橋梁の橋桁外面、法面補強用の鋼板外面等に吸着させたマグネットユニットの吸着力を測定するものである。
【００２１】
従来から、例えば、図１０に示すように、枠組み足場Ｑは石油タンクＲの外壁外面Ｅの補修工事、汚れの清掃工事、塗装工事等を行うために予め石油タンクＲの正面に対向して地上に起立させておき、風圧等の外力が作用した時、又は作業者の歩行時や工事用具の搬送時に振動が発生した時に倒れないように予めマグネットユニットＡの吸引力を利用して石油タンクＲの外壁外面Ｅに取り付けられている。
【００２２】
同様に、図１１に示すように、傾斜地の地上Ｙに起立した法面工事用の単管足場ＳはワイヤＷに接続したマグネットユニットＡの吸引力を利用して法面補強用の鋼板Ｔの外壁外面Ｅに取り付けられ、単管足場Ｓの滑りや転倒を防止し、或いは風圧等の外力にも耐えるようにしている。
【００２３】
しかしながら、石油タンクＲの外壁外面Ｅや法面補強用の鋼板Ｔの外壁外面Ｅの状態は石油タンクＲごと、法面補強用の鋼板Ｔごとに錆びや汚れの発生、傷の発生、塗装の剥げ具合、或いは鋼板の厚さによって、磁力が変化するので、マグネットユニットＡからの外壁外面Ｅに作用する時の吸着力が異なる。
【００２４】
その為、本発明の磁石の吸着力測定装置Ｖは、石油タンクＲの外壁外面Ｅや法面補強用の鋼板Ｔの外壁外面Ｅ等に対してマグネットユニットＡがどの程度の引張荷重にまで耐えて吸引しているか工事が始まる前にその都度予め調べるようにし、足場の安定性、工事の安全性を図るものである。
【００２５】
磁石の吸着力測定装置Ｖは、例えば、予め石油タンクＲの外壁外面Ｅに単独で吸着させておいて地上で磁石の吸着力を測定しても良く、或いは、図１０に示すように枠組み足場Ｑに連結しておいてこの枠組み足場Ｑの足場板２０上から測定しても良い。
【００２６】
本発明の磁石の吸着力測定装置Ｖは、図９、図１０の一部拡大図に示すように、磁石を組み込んだマグネットユニットＡと、マグネットユニットＡに連結したロードセルＢと、ロードセルＢにケーブルＤを介して接続した読取装置Ｃと、ロードセルＢを構築物の着磁性材料からなる外壁外面Ｅ側に押圧する押圧手段Ｆとを備えたものである。
【００２７】
そして、マグネットユニットＡを構築物の外壁外面Ｅに吸着させた状態でロードセルＢを押圧手段Ｆでこの外壁外面Ｅに押圧させ、その時の外壁外面Ｅからの反力をロードセルＢで検出し、検出した反力をマグネットユニットＡを外壁外面Ｅから離す方向の荷重として電気信号に変換して読取装置Ｃで読みとるものである。
【００２８】
構築物の外壁外面Ｅは図１０に示す石油タンクＲの外壁外面Ｅ、図１１に示す法面補強用の鋼板Ｔの外壁外面Ｅ、或いは橋梁の橋桁の外壁側面、その他同様の鋼板側面であっても良い。
【００２９】
石油タンクＲの外壁外面Ｅのメンテナンス工事を行う場合は、図９に示すように枠組み足場Ｑを石油タンクＲの正面に対して地上から起立させ、さらに建枠１９に連結した水平支柱１８にマグネットユニットＡを取り付け、このマグネットユニットＡを石油タンクＲの外壁外面Ｅに吸着させて枠組み足場Ｑを支えるようにしている。
【００３０】
同様に、法面の補修工事等を行う場合は、図１１に示すように、地上Ｙに単管足場Ｓを起立させ、ワイヤＷに取り付けたマグネットユニットＡを法面補強用の鋼板Ｔの外面Ｅに吸着させて単管足場Ｓを支えるようにしている。
【００３１】
マグネットユニットＡは、公知のように、ケース１０とケース１０内に収容した複数の永久磁石又は電磁磁石とからなり、磁石からの磁力が着磁性材料からなる鋼板に作用して鋼板を吸着するものである。
【００３２】
また、マグネットユニットＡは例えば回転式のスイッチ機構を介して磁石を回転させ、各磁石のＮ極とＳ極を対向させた時磁力を発生させて鋼板に吸着し、Ｎ極同士又はＳ極同士を対向させた時消磁されて鋼板から外すことができるようになっている。
【００３３】
マグネットユニットＡのケース１０には取手２１が設けられ、この取手２１を介して持ち運びでき、鋼板に対して取り付け、取り外しができるようになっている。
【００３４】
ロードセルＢは、公知のように、構築物の外壁外面Ｅ側に向けて押圧力を加えた時この外壁外面Ｅからの反力を検出し、検出した反力を電気信号に変換しこの電気信号はケーブルＤを介して読取装置Ｃに送られる。
【００３５】
読取装置Ｃでは公知のように検出された反力がマグネットユニットＡを引き離す方向の荷重としてディスプレーで表示されるようになっている。
【００３６】
押圧手段Ｆは、図１、図２に示すように、ロードセルＢの本体５に取付けたロッド２と、ロッド２の端部にスライド自在に圧接させる楔１と、楔１に回転自在に嵌合した駆動ボルト１１とで構成されている。
【００３７】
そして、マグネットユニットＡを外壁外面Ｅに吸着させた状態でロードセルＢを楔１とロッド２とで外壁外面Ｅに押圧させ、その時の外壁外面Ｅからの反力をロードセルＢで検出させるようになっている。
【００３８】
ロードセルＢは本体５と、本体５の先端側と後端側にそれぞれ設けた腕６、７とからなり、上記先端側腕６に外壁外面Ｅに対向させるプッシュロッド３を取付け、ロッド２を後端側腕７に楔１に対向して取付けている。
【００３９】
ロードセルＢと押圧手段Ｆとは同じハウジング４内に収容され、駆動ボルト１１とプッシュロッド３とはこのハウジング４の壁を移動自在に貫通している。
【００４０】
マグネットユニットＡはケース１０とケース１０内に組み込んだ一つ又は複数の永久磁石又は電磁磁石とから構成され、ロードセル側のハウジング４がボルト８、９を介してケース１０の端部に着脱自在に取付けられている。
【００４１】
ボルト８はハウジング４の下部に設けたブラケット２２とケース１０の正面上部に設けたブラケット２３に螺合してブラケット２２、２３同士を結合し、他方ボルト９はハウジング４の下部に垂設されてケース１０の上端に形成された孔に嵌合している。
【００４２】
マグネットユニットＡは単独で搬送され、図１０、図１１に示すように枠組み足場Ｑや単管足場Ｓを構築物の外壁外面Ｅに吸着して単独で支えるが、このマグネットユニットＡの吸着力を測定する場合は上記のボルト８、９を介してロードセル側のハウジング４がマグネットユニットＡ側のケース１０に結合される。
【００４３】
ハウジング４には図４に示すようにボルト２４、２５を介して蓋２８が着脱自在に取付けられている。
【００４４】
また、図１〜図３に示すように、ハウジング４の内周に平滑面を備えた樹脂製の第１のガイド１２をスライドメタルとして設け、ロッド２の先端にテーパ面１３ａを形成した樹脂製の第２のガイド１３をスライドメタルとして取付け、楔１の垂直面Ｆ３を第１のガイド１２にスライド自在に当接させ、楔１の傾斜面Ｆ２を第２のガイド１３のテーパ面１３ａにスライド自在に当接してロッド２を軸方向に押圧させている。
【００４５】
テーパ面１３ａはロッド２の先端に直接形成しても良い。
【００４６】
ガイド１３の先端はテーパ面１３ａに代えて球面を使用しても良い。
【００４７】
ロッド２はハウジング４の中央に設けた支持板２６にスライド自在に貫通して支持させておくのが好ましい。
【００４８】
駆動ボルト１１は図１、図２、図４、図６に示すように、ハウジング４を回転自在に貫通する軸部１１ａと、楔１の本体Ｆ１内に回転自在に嵌合する先端頭部１１ｂとから構成され、軸部１１ａの後部外端にナット１４Ａを介してハンドル１４を取り付けている。
【００４９】
この場合、駆動ボルト１１はハウジング４とハウジング４に取り付けたナット１７を回転自在に貫通し、ハンドル１４を介して回転させると回転しながら軸方向に進退し、図２に示すように、ハウジング４内に侵入した時楔１を押し込んでこの楔１をガイド１２、１３に沿って移動させる。
【００５０】
この時、ロッド２が押されてロードセルの本体５とプッシュロッド３が楔１の移動方向に対して直交する方向に移動する。
【００５１】
すなわち、楔１はロッド２を介してロードセルＢを押し込み、プッシュロッド３を構築物、例えば、石油タンクＲの外壁外面Ｅに押圧させる。
【００５２】
楔１は図４、図５に示すように、本体Ｆ１の後端部に空間２７を有し、この空間２７内に駆動ボルト１１の頭部１１ｂを回転自在に嵌合し、またこの頭部１１ｂの先端側と基端側の両側にスライドメタル１５、１６を当接させている。
【００５３】
この場合、図７に示すように、駆動ボルト１１の軸部１１ａを基端側のスライドメタル１５の孔１５Ａを回転自在に貫通させることにより頭部１１ｂの先端側と基端側とにそれぞれスライドメタル１５、１６を介在させ、楔１内で頭部１１ｂを回転させた時頭部１１ｂをこのスライドメタル１５、１６に摺接させて直接楔１に接触させる場合に比べて摩擦抵抗を軽減させるようにしている。
【００５４】
次に本発明の磁石の吸着力測定装置のＶの作動について説明する。
【００５５】
例えば、図１０に示すように、マグネットユニットＡを石油タンクＲの外壁外面Ｅに吸着させ、石油タンクＲに対向して地上に起立した枠組み足場Ｑの建枠１９を水平支柱１８を介してマグネットユニットＡに連結させ、マグネットユニットＡで枠組み足場Ｑをさせておく。
【００５６】
この状態では、図１に示すようにハウジング４の壁面とプッシュロッド３の頭部とを石油タンクＲの外壁外面Ｅに当接させ、同時にマグネットユニットＡのケース１０の外面も石油タンクＲの外壁外面Ｅに当接させている。
【００５７】
そして、マグネットユニットＡが吸着している石油タンクＲの外壁部位においては、枠組み足場Ｑ側からの引張荷重に対してどの程度の荷重までマグネットユニットＡの吸着力が耐えられるか調べておいて枠組み足場Ｑの転倒防止等の安全性を図る必要がある。
【００５８】
そこで、図１に示すように、マグネットユニットＡが外壁外面Ｅに吸着している状態で枠組み足場Ｑの足場板２０上又は地上でハンドル１４を回転し、押圧手段Ｆを駆動する。
【００５９】
この時、図２に示すように、ハンドル１４を回動すると駆動ボルト１１が回転しながらハウジング４内に侵入し、同時に頭部１１ｂが楔１の空間２７で回転しながらこの楔１を押し込む。
【００６０】
楔１が押し込まれるとこの楔１はガイド１２、１３に沿って侵入し、同時に一方のガイド１３は楔１の傾斜面Ｆ２に沿って押されて水平方向に移動しながらロッド２を水平方向に押し込む。
【００６１】
このため、ロッド２で押されたロードセルＢの本体５とプッシュロッド３が石油タンクＲの外壁外面Ｅ側に押され、プッシュロッド３の頭部が外壁外面Ｅを押圧する。
【００６２】
この時のロードセルＢの本体５とプッシュロッド３からの外壁外面Ｅに対する押圧力はマグネットユニットＡの吸着力に抗し、マグネットユニットＡを外壁外面Ｅから引き剥がす方向の荷重である。
【００６３】
そして、プッシュロッド３が外壁外面Ｅを押圧した時この外壁外面Ｅに反力が生じ、この反力が逆にロードセルＢの本体５に作用し、検出した反力はマグネットユニットＡを外壁外面Ｅから離す方向の荷重として電気信号に変換して読取装置Ｃで読みとられる。
【００６４】
この場合、楔１の侵入量に応じてロードセルＢに対する押圧力が増加し、図２に示すように、外壁外面Ｅからの反力がマグネットユニットＡにおける吸着力を超えるとマグネットユニットＡの端部が梃の原理で外壁外面Ｅから離れる。
【００６５】
この離れた状態を目視し、その時の荷重を読取装置Ｃのディスプレーで読み取って確認することで、どのくらいの荷重に耐えられるかマグネットユニットＡにおける磁石の吸引力を測定できる。
【００６６】
ところで、マグネットユニットＡの吸着力を正確に測定する場合、マグネットユニットＡの中央を押圧するのが好ましいが、この場合はマグネットユニットＡを引き剥がすハンドル１４からの回転操作力が過大となり、困難である。
【００６７】
そこで、本発明の実施の形態では、図１から分かるように、ロードセル側のハウジング４、言い換えれば、楔１等からなる押圧手段ＦがマグネットユニットＡにおけるケース１０の端部に取り付けられているので、押圧手段Ｆから押圧力を作用させた時図２に示すようにマグネットユニットＡの端部が引き離されるようにしているので、マグネットユニットＡの中央から全体を引き剥がす操作力に比べてその操作力を低減でき、操作性の向上が図られている。
【００６８】
さらに、本発明では、押圧手段Ｆとして楔１を使用しているので、ロードセルＢと同一直線上に取り付けられて軸方向に推進するボルトでロードセルＢを直接押圧させる場合に比べて操作力を低減できる。
【００６９】
例えば、マグネットユニットＡを引き剥がすのに必要な荷重が５００ＫＧとする時、従来のように、同一直線上に取り付けたボルトで直接ロードセルＢを押圧させる押圧力ＮはＮ＝５００ＫＧとなる。
【００７０】
しかしながら、本発明の実施では、例えば、楔１の傾斜面Ｆ２の角度Αを７度と仮定したとき、その時の押圧力Ｎは、Ｎ＝５００×ＴＡＮΑ＝５００×０．１２＝６０ＫＧとなり、ボルトで直接押圧する操作力に比べて操作力が軽減され、操作性の向上とスピードアップが図れる。
【００７１】
上記の作動は図１０に示す単管足場ＳのマグネットユニットＡのみならずその他同様の磁石の吸着力測定装置の場合も同じである。
【符号の説明】
【００７２】
Ａ  マグネットユニット
Ｂ  ロードセル
Ｃ  ケーブル
Ｄ  読取装置
Ｅ  外壁外面
Ｆ  押圧手段
Ｆ１  楔本体
Ｆ２  傾斜面
Ｆ３  垂直面
１  楔
２  ロッド
３  プッシュロッド
４  ハウジング
５  ロードセルの本体
６、７  腕
８、９  ボルト
１０  ケース
１１  駆動ボルト
１１ａ  軸部
１１ｂ  頭部
１２  第１のガイド
１３  第２のガイド
１３ａ  テーパ面
１４  ハンドル
１５、１６  スライドメタル
【図１】
2019152619.tif 000003
【図２】
2019152619.tif 000004
【図３】
2019152619.tif 000005
【図４】
2019152619.tif 000006
【図５】
2019152619.tif 000007
【図６】
2019152619.tif 000008
【図７】
2019152619.tif 000009
【図８】
2019152619.tif 000010
【図９】
2019152619.tif 000011
【図１０】
2019152619.tif 000012
【図１１】
2019152619.tif 000013